(57)【要約】【課題】工事作業者に、空気調和機の据付工事前に確実に必要な製品情報及び必要寸法を提供することができる空気調和機の据付装置を提供する。【解決手段】運転時に、外郭より突き出て動く可動部（図示せず）を有する空気調和機本体１の梱包時に、その空気調和機本体１の表面に貼り付けられると共に、形状を異形としたもので、据付工事作業者が、空気調和機本体１を梱包材３から取り出す際に、一目で、空気調和機本体１の表面に貼付られた異形の銘板２に気づくと共に、銘板２が異形であることから何かの型紙であろうと容易に推測することができ、据付工事作業者に据付工事前に確実に、空気調和機に係る情報を提供することができる。【選択図】図１
2010133674.tif 000002
【特許請求の範囲】
【請求項１】
運転時に、外郭より突き出て動く可動部を有する空気調和機本体の梱包時に、その空気調和機本体の表面に貼り付けられると共に、形状を異形としたことを特徴とする空気調和機の据付装置。
【請求項２】
空気調和機本体に組み込まれた上下風向羽根等の可動範囲あるいは前記空気調和機本体の据付範囲に係る情報が記載されると共に、外形が、前記上下風向変更羽根等の可動範囲あるいは空気調和機本体の据付範囲を示す外形と略同一としたことを特徴とする請求項１に記載の空気調和機の据付装置。
【請求項３】
表面に空気調和機に係る注意喚起情報が、裏面に、空気調和機本体に組み込まれた上下風向羽根等の可動範囲あるいは前記空気調和機本体の据付範囲に係る情報がそれぞれ記載された請求項１に記載の空気調和機の据付装置。
【発明の詳細な説明】
【技術分野】
【０００１】
本発明は、空気調和機に据付装置に関するものである。
【背景技術】
【０００２】
従来の空気調和機の据付装置について、図５及び図６を用いて説明する。図５は、従来の空気調和機と、それと同梱されている空気調和機の据付装置の斜視図であり、図６は、従来の他の空気調和機の正面図である。
【０００３】
従来の空気調和機は、空気調和機本体１と、据付装置４と共に据付時に必要な本体寸法やメ―カ−が推奨する周辺寸法が記載された据付工事説明書（図示せず）を付随している。また、図５に示すように、空気調和機本体１の可動範囲あるいは、空気調和機本体１の据付範囲に係る情報を記載した型紙５を据付装置４と共に同梱しているものや、図６に示すように空気調和機本体１の表面に、空気調和機に係る注意喚起情報を記載した銘板６を貼り付けているものもある（例えば、特許文献１参照）。
【特許文献１】特開２００８−１９０８３９号公報
【発明の開示】
【発明が解決しようとする課題】
【０００４】
本来、空気調和機の据付工事を行うときは、空気調和機の機種毎に異なる各種据付寸法を確認するため、据付工事実施前に、同梱された据付工事説明書を読む必要があるが、一連の作業手順を分かっている工事作業者は、わざわざ据付工事説明書を読む行為を行わない場合がある。その為、上下風向羽根や前面パネルなどの可動部品が運転時に停止位置から大きく動くタイプの空気調和機の場合、空気調和機を据付できた場合でも、運転時に、可動部分が周囲の壁や梁、カーテンレール等に当たり使用できず、再度据付工事をやり直さなければならないという問題を有していた。
【０００５】
この問題を回避するようにした、空気調和機の可動範囲あるいは空気調和機の据付範囲に係る情報を記載した型紙５を据付装置４と同梱したものや、空気調和機本体１の表面に製品に係る注意喚起情報を記載した銘板６を貼り付けているものでは、型紙５の同梱場所が分かりずらかったり、据付工事終了後には廃棄されてしまう銘板を複数枚貼付しなければならず、紙資源の非有効活用につながっていた。
【０００６】
本発明は、前記従来の課題を解決するもので、空気調和機の据付工事作業者に、据付工事前に確実に必要な製品情報及び必要寸法を提供することができ、また紙資源の有効活用を図ることができる空気調和機の据付装置を提供することを目的とするものである。
【課題を解決するための手段】
【０００７】
前記従来の課題を解決するために、本発明の空気調和気機の据付装置は、運転時に、外郭より突き出て動く可動部を有する空気調和機本体の梱包時に、その空気調和機本体の表面に貼り付けられると共に、形状を異形としたもので、据付工事作業者が、空気調和機本体を梱包材から取り出す際に、一目で、空気調和機本体の表面に貼付られた異形の据付装置に気づくと共に、据付装置が異形であることから何かの型紙であろうと容易に推測することができ、据付工事作業者に据付工事前に確実に、空気調和機に係る情報を提供することができる。
【発明の効果】
【０００８】
本発明の空気調和機の据付装置は、据付工事作業者が、空気調和機本体を梱包材から取
り出す際に、一目で、空気調和機本体の表面に貼付られた異形の据付装置に気づくと共に、据付装置が異形であることから何かの型紙であろうと容易に推測することができ、据付工事作業者に据付工事前に確実に、空気調和機に係る情報を提供することができる。
【発明を実施するための最良の形態】
【０００９】
第１の発明は、運転時に、外郭より突き出て動く可動部を有する空気調和機本体の梱包時に、その空気調和機本体の表面に貼り付けられると共に、形状を異形としたもので、据付工事作業者が、空気調和機本体を梱包材から取り出す際に、一目で、空気調和機本体の表面に貼付られた異形の据付装置に気づくと共に、据付装置が異形であることから何かの型紙であろうと容易に推測することができ、据付工事作業者に据付工事前に確実に、空気調和機に係る情報を提供することができる。
【００１０】
第２の発明は、特に、第１の発明の空気調和機本体に組み込まれた上下風向羽根等の可動範囲あるいは前記空気調和機本体の据付範囲に係る情報が記載されると共に、外形が、前記上下風向変更羽根等の可動範囲あるいは空気調和機本体の据付範囲を示す外形と略同一としたもので、据付工事作業者に据付工事前に確実に、空気調和機本体の据付に必要な寸法を型紙としてわかりやすく提供することができ、不適切な位置での据付工事により、運転時に可動部分が周囲の壁や梁、カーテンレール等に当たってしまう等といった問題を未然に防止することができる。
【００１１】
第３の発明は、特に、第１の発明の空気調和機の据付装置の表面に空気調和機に係る注意喚起情報が、裏面に、空気調和機本体に組み込まれた上下風向羽根等の可動範囲あるいは前記空気調和機本体の据付範囲に係る情報がそれぞれ記載されたもので、据付工事作業者に据付工事前に確実に必要な製品情報を提供すると共に、据付装置が異形であることから何らかの型紙であることを容易に伝え、空気調和機本体の据付に必要な寸法を提供し、据付工事性の向上を図ることができる。また、型紙と製品情報を両面に印刷することにより、紙資源を有効的に活用し安価に製品情報を提供することができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和気機の据付装置を備えた空気調和機の梱包状態を示す斜視図、図２は、同空気調和機の正面図である。
【００１４】
図１、図２において、１は、外郭より突き出して動く上下風向羽根や前面パネルなどの可動部（図示せず）を有する空気調和機本体で、その表面には、本実施の形態における空気調和機の据付装置である銘板２が貼り付けられている。３は、空気調和機本体１を梱包する梱包材である。銘板２は、異形であると共に、空気調和機に関する製品情報が記載されている。
【００１５】
以上のように、運転時、空気調和機本体１の外郭より突き出して可動する可動部（図示せず）を有する空気調和機本体１の梱包状態において、空気調和機本体１の表面に異形の銘板２を貼り付けたことにより、据付工事作業者が空気調和機本体１を梱包材３から取り出す際に、一目で、空気調和機本体１の表面に貼付られた異形の銘板２に気づくことができ、また銘板２が異形であることから何かの型紙であろうと容易に推測することができ、据付工事作業者に据付工事前に確実に空気調和機に係る情報を提供することができる。
【００１６】
（実施の形態２）
図３は、本発明の実施の形態２における空気調和機の据付装置に記載された情報の
例を示す図である。なお、上記第１の実施の形態と同一部分には、同一符号を付してその説明を省略する。
【００１７】
本実施の形態における空気調和機の銘板２（据付装置）には、図３に示すように、上下風向羽根等の可動範囲あるいは空気調和機本体１の据付範囲に係る情報を記載すると共に、銘板２の外形を、上下風向変更羽根等の可動範囲あるいは空気調和機本体１の据付範囲の外形形状と略同一にしたもので、これにより、据付工事作業者に据付工事前に確実に空気調和機本体１の据付に必要な寸法を型紙としてわかりやすく提供することができ、不適切な位置での据付工事により、運転時に可動部分が周囲の壁や梁、カーテンレール等に当たってしまう等といった問題を未然に防止することができる。
【００１８】
（実施の形態３）
図４は、本発明の実施の形態３における空気調和機の据付装置に記載された注意喚起情報の例を示す図である。なお、上記実施の形態と同一部分には、同一符号を付してその説明を省略する。
【００１９】
本実施の形態における空気調和機の銘板２（据付装置）の表面に、図４に示すように、空気調和機本体１に係る注意喚起情報を記載し、同裏面に、空気調和機本体１の可動部品の可動範囲あるいは、空気調和機本体１の据付範囲に係る情報を記載するもので、据付工事作業者に据付工事前に確実に必要な空気調和機の製品情報を提供すると共に銘板２が異形であることから何らかの型紙であることを容易に伝え、空気調和機本体１の据付に必要な寸法を提供し、据付工事性の向上を図ることができる。また、型紙と製品情報を両面に印刷することにより、紙資源を有効的に活用し安価に製品情報を提供することができる。
【産業上の利用可能性】
【００２０】
以上のように、本発明の空気調和機の据付装置は、据付工事作業者に据付工事前に確実に製品に係る情報を提供し、据付工事を効率よく行うことができるもので空気調和機に限らず、周囲の構造物への干渉を考慮しながら壁面に据付ける各種機器に適用可能である。
【図面の簡単な説明】
【００２１】
【図１】本発明の実施の形態１による空気調和気機の据付装置を備えた空気調和機の梱包状態を示す斜視図
【図２】同空気調和機の正面図
【図３】本発明の実施の形態２における空気調和機の据付装置に記載された情報の例を示す図
【図４】本発明の実施の形態３における空気調和機の据付装置に記載された注意喚起情報の例を示す図
【図５】従来の空気調和機と、それと同梱されている空気調和機の据付装置の斜視図
【図６】従来の他の空気調和機の正面図
【符号の説明】
【００２２】
１  空気調和機本体
２  銘板（据付装置）
３  梱包材
【図１】
2010133674.tif 000003
【図２】
2010133674.tif 000004
【図３】
2010133674.tif 000005
【図４】
2010133674.tif 000006
【図５】
2010133674.tif 000007
【図６】
2010133674.tif 000008